(57)【要約】　　　（修正有）【課題】大脳前半部・前頭前野の左右両半球の合わせ目である縦裂部を賦活させる神経心理テストの作業課題と実施方法を開発し、この部位の脳高次機能を測定すること。【解決手段】一定以上の大きさを持ち、色と形を組み合わせた二重課題の属性を持つ着色図形による問題項目を考案し、こうした属性をあわせ持つ問題項目を、例題項目と本題項目に分けて被験者に提示し、例題項目に示された着色図形の二重課題条件と相違する着色図形を正答として、これを探索するやり方の検査であることを被験者に教示し、注意を集中してその正答図形を探索する識別作業を制限時間を設けて被験者に課して、前頭葉に葛藤効果を起こし、被験者の前頭葉の額正面の左右半球の合わせ目である縦裂部を選択的に、縦に１の字状に賦活させて、その部位の能力を測定する。【選択図】　図１
2004057768.tif 000002
【特許請求の範囲】
【請求項１】
検査用紙上又はコンピュータなどの画面上に、例えば赤・青・黄・緑・黒などの２種類以上７種類以下の種類の色と、同じく例えば★・●・◆・▲黒四角▼・▲などの２種類以上７種類以下の、形の異なる図形で、図形の形が正方形（１）や三角形（２）、菱形（３）などであれば、図形を構成する一辺の長さが４ミリメートル以上あり、また、円（４）であれば、直径４ミリメートル以上の大きさの円であり、また星形（５）であれば４ミリメートル平方をはみ出す部分を持つ大きさの図形を用意し、図形をそれらの色で塗りつぶして二重課題を構成した着色図形を問題項目として検査書を構成し（６）、解答欄（７）も同じく検査用紙上やコンピュータ画面上に配置して回答できるようにした検査問題を用い、被験者にこれらの着色図形の問題項目と解答欄からなるからなる検査問題を提示して行う神経心理テストの検査方法で、まず最初に一定の色と図形を組み合わせた着色図形を例題項目（８）として被験者に提示して認識させ、次に本題項目（９）として、例題項目（８）とは異なり、今度は着色された色がランダム（無作為）に各図形に着色され、被験者に提示される図形の順番や出現頻度もランダム（無作為）な順番や出現頻度となった着色図形群で構成された本題項目（９）を横一列に１０個から３０個ほど配置し（１０）、その下に本題項目（９）を横に一行ずつ行わせる方式の問題であることを示すためのアンダーライン（１１）を引き、本題項目の行の先頭に１行目（１２）、２行目（１３）などと行目表示（１２）（１３）を記した本題項目（９）を、検査用紙、又は、コンピュータ画面に５行から３０行ほど本題項目（９）として印刷、又は、コンピュータ画面に表示したものを被験者に提示し、実施方法は、まず最初に、例示された、一定の色と形の組み合わせをもつ着色図形である例題項目（８）を、被験者に注意を集中して探索すべきではない誤答例として認識させ、後に続く本題項目（９）の中に、例題項目（８）と同一の色と形の組み合わせを持つ二重課題条件を備えた着色図形を発見した時は、これを誤答と認識して解答欄（７）をチェックせず、これ以外の色と形を組み合わせた図形を発見した時に、これを正答と認識して、解答欄（７）をチェックし、印をつけて解答していく本題項目（９）の実施方法をとり、一定の制限時間内で、本題項目の１行目（１２）から例題項目（８）と本題項目（９）の比較識別作業を開始させ、１行目（１２）の注意を集中した探索が終わったら、次に２行目（１３）の先頭から探索に入り、２行目の探索が終わったら３行目（１４）の先頭というように、１行ずつ注意の集中と開放を繰り返し行わせる本題項目（９）のやり方をもつ検査で、一定の制限時間内の正答数を合計して被験者の総得点とし、試験状況や年齢別の平均得点・偏差などの統計情報と比較して、被験者の得点の程度に応じて評価ができる神経心理テストの検査の方法で、こうした大きさや着色等の属性と実施の仕方を持つ着色図形の識別課題を用いて前頭葉額正面の、大脳前半部・前頭前野の左右両半球の合わせ目である縦裂部を１の字状に縦に賦活し、その部位の脳高次機能を測定する神経心理テストの検査の方法。
【請求項２】
請求項１で記載された例題項目（８）や本題項目（９）に使用される着色図形の大きさについて、図形の形が正方形（１）や三角形（２）、菱形（３）などであれば、図形を構成する一辺の長さが４ミリメートル以上あるもの。また、図形の形が円（４）であれば、直径４ミリメートル以上の大きさのもの。また星形（５）であれば４ミリメートル平方の範囲を想定し、この範囲をはみ出す部分を持つ大きさの星形（５）であるもの。その他の形の図形であれば、図形の１個の大きさが、４ミリメートル平方の範囲を想定し、図形のどれか一部分がこの範囲をはみ出す部分を持つ大きさの着色図形を使用した神経心理テストの検査の方法。
【請求項３】
請求項１や請求項２に記載された例題項目（８）や本題項目（９）に使用される着色図形の形について、図形の形が、例題にあげた正方形（１）や三角形（２）、菱形（３）、円（４）、星形（５）以外の抽象的な形の着色図形を問題項目に用いた検査で、請求項１に記載された実施方法をとる神経心理テストの検査の方法。
【請求項４】
請求項１に記載された本題項目（９）の行の先頭に行目表示（１２）（１３）（１４）等をつけず、あるいはアンダーライン（１１）等を引かず、または、このどちらも表示せずに、被験者に例題項目（８）を提示するだけで、無作為な配列の本題項目（９）を提示し、これらのどの部分からでも着手することを許可した検査の実施方法。
【請求項５】
請求項１に記載された本題項目（９）の行の先頭に行目表示（１２）（１３）（１４）等をつけず、あるいはアンダーライン（１１）等を引かずに、被験者に例題項目（８）を提示するだけで、無作為な配列の、本題項目（９）を横に一行ずつ、あるいは縦に一行ずつ提示し、これらの最初の行または列から検査を着手させ、３０秒あるいは６０秒などの制限時間を設けて、「はい、次」などの号令をかけて、次々に実施する行や列を変えて、次の本題項目（９）の行または列の課題の識別判断に移っていく検査の実施方法。
【請求項６】
請求項１に記載された本題項目（９）の実施の仕方につき、本題項目（９）に１行目（１２）、２行目（１３）、３行目（１４）等の表題をつけて被験者に一行ずつ本題項目の探索を行わせ、最初の行の本題項目の探索が終わってから次の行の本題項目の探索に移るよう検査を行わせる検査実施の方法をとり、こうした検査の実施方法により、採点集計時に、被験者の解答の最終到達地点を知り、それ以前に発生した誤答解答や見落とし項目の数を集計して正答率の計算を行い、こうした数値を検査結果の評価の解釈に加える検査結果の評価方法。
【請求項７】
請求項１や請求項２、請求項３に記載された例題項目（８）や本題項目（９）に使用される着色図形の色について、通常、赤、青、黄色、緑、黒、などと認識される色の他に、色弱対策をして、朱色、明るい青、濃緑色、明るいレモンイエロー、ベタの黒、等の色の組み合わせを使用し、あるいはこの色の組み合わせとは異なる、濃い赤、明るい青、黄緑、黄土色、ベタの黒等の色を使用し、これらの図形の一部または全部に黒色等でふちどりをして色弱対策をした着色図形を問題項目に用いた検査で、請求項１や請求項４や請求項５や請求項６に記載された実施方法をとる神経心理テストの検査の方法。
【発明の詳細な説明】
【０００１】
【発明の属する技術分野】
本発明は神経心理テストして、人の前頭葉の脳機能の測定を行い、人の脳高次機能の診断を行う技術の分野に関する。
【０００２】
【従来の技術】
従来の神経心理テストについては、浜松医療センター脳神経外科医・金子満雄による「かなひろいテスト」（痴呆早期診断のためのスクリーニングテスト。金子満雄。老年期痴呆　Ｖｏｌ．５　Ｎｏ．４　１９９１−１０。を参照）や「色別漢字テスト」（ボケる脳の謎がとけた。前頭前野が教える痴呆対策。金子満雄医。ＮＨＫ出版。１９９８。を参照）等があり、また、色を使った脳の賦活特性に関する実験としては、マイケル・ポスナー等によるストループ効果の実験（脳を観る。日系サイエンス社。Ｍ・Ｉ・ポスナー／Ｍ・Ｅ・レイクル）に関する記述があった。
【０００３】
【発明が解決しようとする課題】
従来の神経心理テストを実施して、賦活・測定される脳高次機能の測定部位は、「かなひろいテスト」では、額正面の眼窩上皮質（両眉毛の奥）や腹内側部（眉間部分）、前頭葉の左背外側部（ブロードマン４６野・左こめかみ部分）等の前頭葉の主要３カ所の部位が同時に賦活してしまうものであり（有意味かなひろいテストの意義。根本樹宏。平成１２年８月１２日。第２回全国早期痴呆研究会。真興交易（株）医書出版部を参照。）、また「色別漢字テスト」にしても、前頭葉正面の右半分の部位につき選択的に賦活するもので（地域における痴呆診断と対策。金子満雄。真興交易（株）医書出版部を参照）、額正面に関して、前頭葉の左右両半球の合わせ目である、大脳前半部・前頭前野の縦裂部を、縦に１の字状に強く賦活させ、この部位の脳高次機能を測定できる検査が存在しなかった。
本発明はこれら従来の神経心理テストに対し、額正面の、左右両半球の合わせ目である大脳前半部・前頭前野の縦裂部から腹内側部（ブロードマン８野、９野、１０野）にかけて、選択的に、縦に１の字のごとく賦活し、その部位の能力を引き出し、この部位の脳高次機能を測定しようとするものである。
【０００４】
【課題を解決するための手段】
上記の問題点を解決するため、本発明では神経心理テストの問題項目として、請求項１や請求項２に記載した大きさの条件を満たす、２種類以上７種類以下の色と形を組み合わせた二重課題の属性を持つ着色図形による問題項目を考案し、こうした色と形の二重課題の属性をもつ例題項目（８）を、最初に誤答として被験者に提示し、次に本題項目（９）を被験者に提示して、その例題項目（８）に例示された着色図形と相違する二重課題条件を属性として持つ着色図形を「正答」として、注意を集中して探索する判断識別作業を被験者に行わせ、解答欄（７）に判断識別結果を記入させて行う方法の検査書を用いることで、人の前頭葉の額正面の左右両半球の合わせ目である縦裂部位が、選択的に縦に１の字状に、強く賦活させる作業課題とその実施方法を考案した。
人間は注意を集中した時に前頭葉が賦活し警戒態勢に入るが、こうした注意集中課題に文字や言語を使用した場合は、前頭葉の腹内測部（眉間部分）や眼窩上皮質（両眉毛の奥）、背外側部（ブロードマン４６野：左こめかみ部分）など、主に額正面の下半分および左よりの部位にかけて脳血流が集中して賦活し、それらの部位が作動して作業課題をこなすが、意味や解釈を持たない色や図形を用いた注意集中課題では、左前頭葉の各部はほとんど賦活せずに右前頭葉が選択的に強く賦活し、また右眼窩上皮質がやや賦活した状態で作業課題をこなす。
ところがこれらの反応は、例題項目（８）を正答と例示し、これと同じものを注意を集中して探索させた場合の反応で、これとは逆に例題項目（８）を誤答と認識させ、これと相違するもの正答と認識させて、注意を集中して探索させた場合には、文字と色を組み合わせた着色言語による二重課題でも、図形と色を組み合わせた着色図形による二重課題でも、人の前頭葉は葛藤し、前頭葉の全体が賦活する。
ところがこれらの問題項目となる文字や図形の大きさを変化させていくと、色と図形を組み合わせて二重課題としたもので、着色図形の大きさが、図形の形が正方形（１）や三角形（２）、菱形（３）などであれば、図形を構成する一辺の長さが４ミリメートル以上あるもの。また、図形の形が円（４）であれば、直径４ミリメートル以上の大きさのもの。また星形（５）であれば４ミリメートル平方の範囲を想定し、この範囲をはみ出す部分を持つ大きさの星形（５）のもの。また、その他の形の図形であれば、図形の１個の大きさが、４ミリメートル平方の範囲を想定し、図形のどれか一部分がこの範囲をはみ出す部分を持つ大きさの着色図形を連続的に提示し、例題項目（８）と一部でも相違する二重課題の属性を持つ着色図形を探索識別させる方法を指示して課題処理をさせた場合に、大脳前半部・前頭前野の左右両半球の合わせ目部分が、縦に１の字を描くように選択的に賦活し、額正面では、この縦の縦裂部だけが賦活して作業課題をこなす。こうした脳の賦活特性と図形の持つ属性とを組み合わせて利用して、額正面の左右前頭葉が合わさる裂け目部分の、額正面の真ん中の部分を縦に１の字状に賦活させ、この部位の脳高次機能を選択的に測定しようとするものである。
本発明は本題項目（９）を、制限時間を決めて、被験者に注意を集中して探索させ、発見した時に解答欄（７）に印をつけてチェックさせ、制限時間の中で発見できた正解の個数をテスト得点として、対応する脳の部位の脳高次機能の能力を評価しようとするものである。得点は統計をとると年齢別に正規分布をするため、平均値、標準偏差と比較して、同年齢群の中での偏差値評価ができる。
本発明では従来の神経心理テストと異なり、前頭葉の額正面の左右両半球の合わせ目である前頭葉の縦裂部が、縦に１の字に強く賦活し、額正面の他の部位は、ほとんど賦活しないため、主にこの部位に局在する脳高次機能を選択的に取り出して測定・診断できるものである。
【０００５】
【発明の実施の形態】
以下、本発明の実施の形態について述べる。
実施の形態は図１に示すような着色図形を問題項目に用いた検査書とその検査書を用いた検査の方法に関するものである。検査書は紙面上に、請求項１に記載したような、例えば赤・青・黄・緑・黒などの２種類以上７種類以下の種類の色と、同じく例えば★・●・◆・▲黒四角▼・▲などの２種類以上７種類以下の形の異なる図形を組み合わせて、図形をそれらの色で着色して二重課題を構成した着色図形を配置した構成の検査書で、使用する着色図形の大きさは、請求項１や請求項２に記載した条件の大きさを持つ着色図形を使用する検査である。具体的には被験者に検査のやり方の誤答例として提示する例題項目（８）と、それに対応した例題の答えを示した解答欄（７−１）。本検査となる本題項目（９）とそれに対応する解答欄（７）から検査は構成されており、さらに被験者個人を識別するために、受験番号（１５）や年齢（１６）、性別（１７）、氏名（１８）等の記入欄を備えた検査書を用いるものである。これらの問題項目が印刷、またはコンピュータ画面に表示された検査書を用い、被験者に最初に、選んではいけない誤答である例題項目（８）を提示し、これらの例題に示された色と形の二重課題条件と異なる二重課題条件を備えた着色図形を、注意を集中して、後に続く本題項目（９）の中から探索して発見することを検査実施者側が被験者に教示し、例題項目（８）と異なる二重課題条件の本題項目（９）を発見した場合は、その本題項目のすぐ右隣の解答欄（７）に筆記具等で印をつけて解答することを、検査のやり方として被験者に教示して、２分間の制限時間で本題項目（９）に取りかかることを指図するやり方の検査である。
【０００６】
なお、本発明においては、実施の形態を上記のような形で具体的に示したものに限られず、別の実施の形態、変形例とすることができる。すなわち検査方法を実施するための検査書の用紙の材質、大きさ、形状、また解答方法は限定されない。また、例題項目（８）や本題項目（９）に使用される色と形の二重課題の属性を持つ着色図形に使用される色の種類や色彩、使用される図形の形は例としてあげた、★●◆▲黒四角▼▲等の形に限定されない。
【０００７】
また上記本発明においては、所定の用紙上の解答欄（７）に被験者が筆記用具を用いて答える形式のものであるが、これに限らず、コンピューターを用いてその画面の中に映像として、色と形の組み合わせから構成される二重課題の着色図形の例題項目（８）や本題項目（９）を表示しておき、被験者がこの画面を見ながら検査を画面上の解答欄に解答する形で実施することもできる。
【０００８】
【発明の効果】
本発明は、以上説明したような色と形の二重課題の属性を持った着色図形を用い、請求項１や請求項２に記載した大きさ以上の図形を用いて、以上説明したような方法で実施されれば、以下に記載されるような効果を奏する。
【０００９】
色と図形を組み合わせて例示してある二重課題の例題項目（８）とは異なる色と形の組み合わせの着色図形を探索せよと指示することになるため、いわゆるストループ効果が働き、前頭葉の当該部位が強く葛藤して、葛藤条件下での前頭葉の大脳前半部・前頭前野の縦裂部の能力が、選択的に判定診断できる。
【０００１０】
こうして測定され得点に変換された能力は、年齢別に多数の標本をとって正規分布した統計上の平均値や標準偏差と比較すれば、被験者の同部位の能力位置として偏差値に変換して表現することができ、同部位の能力だけを取り出して評価したものとして客観的に数値評価できる。
【００１１】
こうして取り出された前頭葉額正面の縦裂部の数値評価は、一次的には葛藤効果を与えた時の人の同部位の注意力や識別能力を表し、得点を偏差値に換算した評価は、同年代の健康者集団の統計データと比較した時の同部位のこうした課題を処理した場合の能力位置を客観的に示す指標となるものであるが、神経心理学的視点からは、こうして取り出された得点や偏差値などの数値評価は、前頭葉額正面の左右両半球が合わさる縦裂部の脳高次機能を表現していると考えられ、単に着色図形の色や形の識別能力を意味するだけでなく、注意の集中や開放などの、いわゆるＧＯ／ＮＯ−ＧＯ（行く、行かない。決める、決められない）などの脳高次機能を測定するものとして意味や解釈を考えていくことができるものである。これらは、脳高次機能の解明や性格との関連について可能性をひらく、新たな脳高次機能の測定用具を提供するものである。
【００１２】
本発明による前頭前野の脳高次機能の評価は、医学の分野で利用されれば、痴呆症や脳損傷者の脳機能低下部位の位置の同定や同部位の脳高次機能低下や向上の程度を知る指標となり、脳機能回復のための脳リハビリテーション訓練等の効果を計る有効な指標となる。また教育や心理学・カウンセリング等の分野に応用されれば、情緒障害児やＡＤＨＤ注意欠陥多動性障害等の診断の有効な指標となり、カウンセリングや機能回復訓練の効果を確かめる有効な情報を提供する客観指標となる。また産業界に応用されれば、入社時に行われる適性検査の客観的な人物評価の指標となり、人事研修に応用されれば結果が本人に還元されて心の健康や生活改善の有効な指標として社会に役立つものとなる。
【図面の簡単な説明】
【図１】特許請求の範囲や課題を解決するための手段、発明の実施の形態に記載した検査書とその各部を示す図である。
【図２】課題を解決するための手段に記載した、本発明を被験者に実施している時に脳血流が集中して代謝が起こる前頭葉の部位を、光トポグラフィー装置（脳血流代謝測定装置・日立メデイコ製・ＥＴＧ−１００）を被験者の額正面に装着して示した図である。
【符号の説明】
１．例題項目にあげた正方形の着色図形。
２．例題項目にあげた三角形の着色図形。
３．例題項目にあげた菱形の着色図形。
４．例題項目にあげた円の着色図形。
５．例題項目にあげた星形の着色図形。
６．着色図形を配置した検査書の全体像である。
７．本題項目の解答欄。
８．例題項目。
９．本題項目。
１０．本題項目を横一列に配置したところ。
１１．アンダーライン。
１２．１行目を示す行目表示。
１３．２行目を示す行目表示。
１４．３行目を示す行目表示。
１５．受験番号の記入欄。
１６．年齢の記入欄。
１７．性別の記入欄。
１８．氏名の記入欄。
１９．例題項目の解答欄。
２０．同課題遂行時に賦活している前頭葉縦裂部を示す図である。
【図１】
2004057768.tif 000003
【図２】
2004057768.tif 000004
【手続補正書】
【提出日】平成14年11月6日(2002.11.6)
【手続補正１】
【補正対象書類名】明細書
【補正対象項目名】特許請求の範囲
【補正方法】変更
【補正の内容】
【特許請求の範囲】
【請求項１】
検査用紙上又はコンピュータなどの画面上に、例えば赤・青・黄・緑・黒などの２種類以上７種類以下の種類の色と、同じく例えば★・●・◆・▲黒四角▼・▲などの２種類以上７種類以下の、形の異なる図形で、図形の形が正方形（１）や三角形（２）、菱形（３）などであれば、図形を構成する一辺の長さが４ミリメートル以上あり、また、円（４）であれば、直径４ミリメートル以上の大きさの円であり、また星形（５）であれば４ミリメートル平方をはみ出す部分を持つ大きさの図形を用意し、図形をそれらの色で塗りつぶして二重課題を構成した着色図形を問題項目として検査書を構成し（６）、解答欄（７）も同じく検査用紙上やコンピュータ画面上に配置して回答できるようにした検査問題を用い、被験者にこれらの着色図形の問題項目と解答欄からなる検査問題を提示して行う神経心理テストの検査方法で、まず最初に一定の色と図形を組み合わせた着色図形を例題項目（８）として被験者に提示して認識させ、次に本題項目（９）として、例題項目（８）とは異なり、今度は着色された色がランダム（無作為）に各図形に着色され、被験者に提示される図形の順番や出現頻度もランダム（無作為）な順番や出現頻度となった着色図形群で構成された本題項目（９）を横一列に１０個から３０個ほど配置し（１０）、その下に本題項目（９）を横に一行ずつ行わせる方式の問題であることを示すためのアンダーライン（１１）を引き、本題項目の行の先頭に１行目（１２）、２行目（１３）などと行目表示（１２）（１３）を記した本題項目（９）を、検査用紙、又は、コンピュータ画面に５行から３０行ほど本題項目（９）として印刷、又は、コンピュータ画面に表示したものを被験者に提示し、実施方法は、まず最初に、例示された、一定の色と形の組み合わせをもつ着色図形である例題項目（８）を、被験者に注意を集中して探索すべきではない誤答例として認識させ、後に続く本題項目（９）の中に、例題項目（８）と同一の色と形の組み合わせを持つ二重課題条件を備えた着色図形を発見した時は、これを誤答と認識して解答欄（７）をチェックせず、これ以外の色と形を組み合わせた図形を発見した時に、これを正答と認識して、解答欄（７）をチェックし、印をつけて解答していく本題項目（９）の実施方法をとり、一定の制限時間内で、本題項目の１行目（１２）から例題項目（８）と本題項目（９）の比較識別作業を開始させ、１行目（１２）の注意を集中した探索が終わったら、次に２行目（１３）の先頭から探索に入り、２行目の探索が終わったら３行目（１４）の先頭というように、１行ずつ注意の集中と開放を繰り返し行わせる本題項目（９）のやり方をもつ検査で、一定の制限時間内の正答数を合計して被験者の総得点とし、試験状況や年齢別の平均得点・偏差などの統計情報と比較して、被験者の得点の程度に応じて評価ができる神経心理テストの検査の方法で、こうした大きさや着色等の属性と実施の仕方を持つ着色図形の識別課題を用いて前頭葉額正面の、大脳前半部・前頭前野の左右両半球の合わせ目である縦裂部を１の字状に縦に賦活し、その部位の脳高次機能を測定する神経心理テストの検査の方法。
【請求項２】
請求項１で記載された例題項目（８）や本題項目（９）に使用される着色図形の大きさについて、図形の形が正方形（１）や三角形（２）、菱形（３）などであれば、図形を構成する一辺の長さが４ミリメートル以上あるもの。また、図形の形が円（４）であれば、直径４ミリメートル以上の大きさのもの。また星形（５）であれば４ミリメートル平方の範囲を想定し、この範囲をはみ出す部分を持つ大きさの星形（５）であるもの。その他の形の図形であれば、図形の１個の大きさが、４ミリメートル平方の範囲を想定し、図形のどれか一部分がこの範囲をはみ出す部分を持つ大きさの着色図形を使用した神経心理テストの検査の方法。
【請求項３】
請求項１や請求項２に記載された例題項目（８）や本題項目（９）に使用される着色図形の形について、図形の形が、例題にあげた正方形（１）や三角形（２）、菱形（３）、円（４）、星形（５）以外の抽象的な形の着色図形を問題項目に用いた検査で、請求項１に記載された実施方法をとる神経心理テストの検査の方法。
【請求項４】
請求項１に記載された本題項目（９）の行の先頭に行目表示（１２）（１３）（１４）等をつけず、あるいはアンダーライン（１１）等を引かず、または、このどちらも表示せずに、被験者に例題項目（８）を提示するだけで、無作為な配列の本題項目（９）を提示し、これらのどの部分からでも着手することを許可した検査の実施方法。
【請求項５】
請求項１に記載された本題項目（９）の行の先頭に行目表示（１２）（１３）（１４）等をつけず、あるいはアンダーライン（１１）等を引かずに、被験者に例題項目（８）を提示するだけで、無作為な配列の、本題項目（９）を横に一行ずつ、あるいは縦に一行ずつ提示し、これらの最初の行または列から検査を着手させ、３０秒あるいは６０秒などの制限時間を設けて、「はい、次」などの号令をかけて、次々に実施する行や列を変えて、次の本題項目（９）の行または列の課題の識別判断に移っていく検査の実施方法。
【請求項６】
請求項１に記載された本題項目（９）の実施の仕方につき、本題項目（９）に１行目（１２）、２行目（１３）、３行目（１４）等の表題をつけて被験者に一行ずつ本題項目の探索を行わせ、最初の行の本題項目の探索が終わってから次の行の本題項目の探索に移るよう検査を行わせる検査実施の方法をとり、こうした検査の実施方法により、採点集計時に、被験者の解答の最終到達地点を知り、それ以前に発生した誤答解答や見落とし項目の数を集計して正答率の計算を行い、こうした数値を検査結果の評価の解釈に加える検査結果の評価方法。
【請求項７】
請求項１や請求項２、請求項３に記載された例題項目（８）や本題項目（９）に使用される着色図形の色について、通常、赤、青、黄色、緑、黒、などと認識される色の他に、色弱対策をして、朱色、明るい青、濃緑色、明るいレモンイエロー、ベタの黒、等の色の組み合わせを使用し、あるいはこの色の組み合わせとは異なる、濃い赤、明るい青、黄緑、黄土色、ベタの黒等の色を使用し、これらの図形の一部または全部に黒色等でふちどりをして色弱対策をした着色図形を問題項目に用いた検査で、請求項１や請求項４や請求項５や請求項６に記載された実施方法をとる神経心理テストの検査の方法。